(57)【要約】【課題】光ディスク装置の薄型化を可能にすると共に、可動部をバランスよく支持可能な支持ワイヤを備える光ピックアップを提供する。【解決手段】レンズホルダ２の側部の第一側面と第二側面を貫通し、レーザー光の光路の形成を可能にする開口部２０を設け、第一側面２１のベース基板８に近い近接側面部に第一支持ワイヤ中継固着部１３Ａを有する第一中継基板１１Ａを設け、第二側面２２のベース基板８から遠い遠方側面部に第二支持ワイヤ中継固着部１３Ｂを有する第二中継基板１１Ｂを設けると共に、第一支持ワイヤ中継固着部１３Ａと対物レンズ４を保持したレンズホルダ２の重心ＷＣとを結ぶ対角線上に第二支持ワイヤ中継固着部１３Ｂを配置する構成とした。【選択図】図１
2011123932.tif 000002
【特許請求の範囲】
【請求項１】
ベースと、レーザー光を集光して光ディスクに照射する対物レンズと、該対物レンズを保持し前記ベースに対して変位自在に支持されるレンズホルダと、一端を前記ベースに設けるベース基板に固着し他端を前記レンズホルダに設ける中継基板に固着して前記レンズホルダを前記ベースに対して移動可能に支持する複数の支持ワイヤと、前記レンズホルダに固着され少なくともフォーカスコイルとトラッキングコイルを有するコイル部と、前記ベースに立設され前記レンズホルダを挟んで対向配置され前記コイル部に磁界を印加する磁界発生部と、を備え、前記コイル部と前記磁界発生部との電磁力作用によって前記対物レンズを所定位置に移動する光ピックアップにおいて、
前記レンズホルダの前記磁界発生部に対向していない側面の一方の第一側面から他方の第二側面に貫通してレーザー光の光路の形成を可能にする開口部を設け、前記第一側面の前記ベース基板に近い近接側面部に第一支持ワイヤ中継固着部を有する第一中継基板を設け、前記第二側面の前記ベース基板から遠い遠方側面部に第二支持ワイヤ中継固着部を有する第二中継基板を設け、
前記ベース基板に設ける第一支持ワイヤベース固着部と前記第一支持ワイヤ中継固着部を介して第一支持ワイヤを取付け、前記ベース基板に設ける第二支持ワイヤベース固着部と前記第二支持ワイヤ中継固着部を介して第二支持ワイヤを取付けると共に、
前記第一支持ワイヤ中継固着部と前記対物レンズを保持した前記レンズホルダの重心とを結ぶ対角線上に前記第二支持ワイヤ中継固着部を配置したことを特徴とする光ピックアップ。
【請求項２】
前記レンズホルダとほぼ平行に前記ベース基板を設け、前記第一側面側に設ける第一支持ワイヤの線径と前記第二側面側に設ける第二支持ワイヤの線径とを異ならせて、それぞれのワイヤのばね定数が略等しくなるようにしたことを特徴とする請求項１に記載の光ピックアップ。
【請求項３】
前記ベース基板を前記レンズホルダに対して斜めに配設して、前記第一側面側に設ける第一支持ワイヤの長さと前記第二側面側に設ける第二支持ワイヤの長さと太さを略同じにして、それぞれのワイヤのばね定数が略等しくなるようにしたことを特徴とする請求項１に記載の光ピックアップ。
【請求項４】
前記ベース基板を前記第一支持ワイヤベース固着部を備える第一ベース基板と前記第二支持ワイヤベース固着部を備える第二ベース基板とに分割し、それぞれのベース基板を前記レンズホルダに対して互い違いに平行に配設して、前記第一側面側に設ける第一支持ワイヤの長さと前記第二側面側に設ける第二支持ワイヤの長さと太さを略同じにして、それぞれのワイヤのばね定数が略等しくなるようにしたことを特徴とする請求項１に記載の光ピックアップ。
【発明の詳細な説明】
【技術分野】
【０００１】
本発明は、光ディスクにレーザー光を照射してデータの記録又は再生を行う光ピックアップに関する。
【背景技術】
【０００２】
従来、円盤状記憶媒体として、ＣＤ（コンパクトディスク）やＤＶＤ（デジタル多用途ディスク）やＨＤ−ＤＶＤ（高密度ＤＶＤ）やブルーレイディスクなどの、多種類の光ディスクが実用化されている。また、レーザー光をディスクに形成された記録面に照射して、情報の記録および再生を行うために、光ピックアップを用いている。また、多種類の光ディスクにおいては、使用するレーザー光の波長、記録面までの透明層の深さなどが異なることから、１個もしくは複数の対物レンズを用いて複数種類の光ディスクに対応させている。この際に、レーザー光を集光する対物レンズを光ディスクの信号記録層に正確に集光させるために、光ピックアップが備える可動部に装着された対物レンズをフォーカス方向とトラッキング方向に光学スポットを変位させるサーボ制御を行う。
【０００３】
このサーボ制御として、例えば、フォーカス方向の補正がフォーカシング調整であり、トラッキング方向の補正がトラッキング調整である。なお、フォーカス方向とは、対物レンズの光軸方向と平行な方向であり、トラッキング方向とは、光ディスクの半径方向と平行な方向である。
【０００４】
図５を用いて従来の光ピックアップの一例について説明する。
【０００５】
従来の光ピックアップＰ１は図５（ａ）に示す全体構成の概略斜視図、および図５（ｂ）の分解斜視図に示すように、強磁性を有する金属からなるベース１Ａの中央部に光ビームを通過させる貫通孔１ａを形成し、この貫通孔１ａの上部に、対物レンズ４を支持する可動部である樹脂製のレンズホルダ２Ａを配設している。また、ベース１Ａには、レンズホルダ２Ａを挟むように所定間隔をあけて対向配置される磁界発生部材として一対の永久磁石３ａ、３ｂが配設されている。この永久磁石３ａ、３ｂは、それぞれの外面がベース１Ａから折曲形成されたヨーク１ｂ、１ｃに磁着している。
【０００６】
レンズホルダ２Ａには、光ビームが通過できるように光路孔が形成されている。そして、この光路孔の上部側には対物レンズ４を保持する対物レンズ保持部２ａが形成されている。レンズホルダ２Ａの内側の側壁には、レンズホルダ２Ａに保持される対物レンズ４の光軸を取り巻くようにフォーカスコイル５が設けられ、レンズホルダ２Ａに対して接着剤等で固着されている。
【０００７】
また、レンズホルダ２Ａの側壁のうち、永久磁石３ａ、３ｂと対向する両側壁の外側には、それぞれ左右に一対ずつ並ぶようにトラッキングコイル６ａ、６ｂ及びトラッキングコイル６ｃ、６ｄが設けられている。また、トラッキングコイル６ａ及びトラッキングコイル６ｃ、並びに、トラッキングコイル６ｂ及びトラッキングコイル６ｄは、それぞれ対称位置に配置されている。トラッキングコイル６ａ〜６ｄは、レンズホルダ２Ａに対して接着剤等で固着されている。なお、４つのトラッキングコイル６ａ〜６ｄは、全体として１本の線で繋がっている。
【０００８】
ベース１Ａ上には、一方の永久磁石（例えば永久磁石３ｂ）が磁着されたヨーク１ｃの外面側に、ポリカーボネート等の樹脂成型品から成るゲルボックス７が固定される。また、ベース１Ａ上には、ゲルボックス７の外側に隣接してベース基板８が立設されている。
【０００９】
このベース基板８には、左右両側において、それぞれ上下方向に複数、例えば、３箇所ずつ、導電性を有する支持ワイヤ９ａ、９ｂ、９ｃ、９ｄ、９ｅ、９ｆの各一端がハンダ付けにて接続されている。支持ワイヤ９ａ〜９ｃ及び支持ワイヤ９ｄ〜９ｆは、それぞれゲルボックス７に形成された挿通孔１０ａ、１０ｂを挿通している。
【００１０】
支持ワイヤ９ａ〜９ｃの他端は、レンズホルダ２Ａの側壁に設けられる中継基板１１ａに半田付けにて固着されている。また、支持ワイヤ９ｄ〜９ｆの他端は、レンズホルダ２Ａの側壁に設けられる中継基板１１ｂにハンダ付けにて固着されている。そして、これにより、レンズホルダ２Ａは、支持ワイヤ９ａ〜９ｆによってベース１Ａに対して揺動可能に支持された状態となっている。
【００１１】
なお、中継基板１１ａ、１１ｂには、配線パターンが形成されており、支持ワイヤ９ａ及び支持ワイヤ９ｄは、中継基板１１ａ、１１ｂを介してフォーカスコイル５と電気的に接続された状態となっている。また、支持ワイヤ９ｃ及び支持ワイヤ９ｆは、中継基板１１ａ、１１ｂを介してトラッキングコイル６ａ〜６ｄと電気的に接続された状態となっている。
【００１２】
また、ゲルボックス７の各挿通孔１０ａ、１０ｂ内には、シリコンを主成分とするゲル材が充填されている。ここでゲル材は、低粘度のゲル材（ゾル状）がゲルボックス７の各挿通孔１０ａ、１０ｂに注入された後、所定時間の紫外線照射によってゲル状に硬化したものである。
【００１３】
このように構成される光ピックアップＰ１の作用について簡単に説明する。ベース基板８から支持ワイヤ９ａ、９ｄを通じてフォーカスコイル５に電流が供給されると、永久磁石３ａ、３ｂによって形成される磁界との電磁気的な作用により、レンズホルダ２Ａはフォーカス方向に変位可能となる。このため、フォーカスコイル５に供給する電流の大きさ及び向きを調整することでフォーカシング調整が可能となる。
【００１４】
また、ベース基板８から支持ワイヤ９ｃ、９ｆを通じてトラッキングコイル６ａ〜６ｄに電流が供給されると、永久磁石３ａ、３ｂによって形成される磁界との電磁気的な作用により、レンズホルダ２は、トラッキング方向に変位可能となる。このため、トラッキングコイル６ａ〜６ｄに供給する電流の大きさ及び向きを調整することでトラッキング調整が可能となる。
【００１５】
光学スポットを光ディスクの記録部位に正確に位置させるためには、対物レンズの傾き調整を正確に行うことが肝要であり、レンズホルダ２Ａを変位自在に支持する支持ワイヤ９ａ〜９ｆの取付位置を、可動部の移動動作に悪影響を与えない位置としている。そのために通常は、可動部の重心位置が駆動中心となるように、左右の支持ワイヤが、レンズホルダ２Ａの中心軸線に沿った位置に装着されている。
【００１６】
このような光ピックアップを備える光ディスク装置の薄型化を図るためには、光ピックアップ自体の薄型化を図ることや、光ディスクに至る光路長を短縮することが要求される。そのために、光ディスクと対物レンズとの距離であるワーキングディスタンスを短縮する構成であっても、待機状態では対物レンズを光ディスクから離した位置に待機させ、接近時にワイヤが略平行となるように、支持ワイヤを斜めに装着して、フォーカス方向に対物レンズを移動したときの傾きを抑制するとした光ピックアップおよび光ディスク装置（例えば、特許文献１参照）が既に出願されている。
【００１７】
また、左右のワイヤを、対物レンズの中心とレンズ枠（レンズホルダに相当）の回動中心との間に交点が位置するように斜めに配設して、ローリングやピッチングなどの変位を生じ難くした対物レンズ支持装置（例えば、特許文献２参照）が既に出願されている。
【先行技術文献】
【特許文献】
【００１８】
【特許文献１】特開２００７−１７９７１２号公報
【特許文献２】特開２００３−１２３２８９号公報
【発明の概要】
【発明が解決しようとする課題】
【００１９】
フォーカスコイルやトラッキングコイルやチルトコイルなどのコイルと、永久磁石によって形成される磁界との電磁気作用により、レンズホルダの変位、即ち、対物レンズの位置や傾きを調整することは可能であって、フォーカスコイルあるいはトラッキングコイルなどの各コイルに供給する電流の大きさと向きを調整することで、フォーカシング調整やトラッキング調整や傾き調整を行うことができる。
【００２０】
また、近年、光ディスクにおいては、高密度記録の必要性から、光スポット径を小さくするために、開口数ＮＡの高い対物レンズが使用されるようになってきている。ＮＡの高い対物レンズは、そのチルトによってコマ収差が発生しやすいため、フォーカシング動作及びトラッキング動作に伴う対物レンズのチルトに対する要求が厳しくなってきている。
【００２１】
また、光ディスク装置の薄型化を図るために、光ピックアップ自体を薄型化した際に、光ピックアップの可動部を移動自在に支持するワイヤの力のアンバランスが生じると、対物レンズをフォーカス方向に動作させたときに、対物レンズを傾斜させるようなＤＣチルトを発生して問題となる。
【００２２】
そのために、光ディスク装置の薄型化を可能にすると共に、対物レンズを備える可動部をバランスよく支持してＤＣチルトを発生せずに、フォーカシング調整やトラッキング調整、および傾き調整が可能な支持ワイヤを備える光ピックアップが求められる。
【００２３】
本発明は、上記問題点に鑑み、光ディスク装置の薄型化を可能にすると共に、可動部をバランスよく支持可能な支持ワイヤを備える光ピックアップを提供することを目的とする。
【課題を解決するための手段】
【００２４】
上記目的を達成するために本発明は、ベースと、レーザー光を集光して光ディスクに照射する対物レンズと、該対物レンズを保持し前記ベースに対して変位自在に支持されるレンズホルダと、一端を前記ベースに設けるベース基板に固着し他端を前記レンズホルダに設ける中継基板に固着して前記レンズホルダを前記ベースに対して移動可能に支持する複数の支持ワイヤと、前記レンズホルダに固着され少なくともフォーカスコイルとトラッキングコイルを有するコイル部と、前記ベースに立設され前記レンズホルダを挟んで対向配置され前記コイル部に磁界を印加する磁界発生部と、を備え、前記コイル部と前記磁界発生部との電磁力作用によって前記対物レンズを所定位置に移動する光ピックアップにおいて、前記レンズホルダの前記磁界発生部に対向していない側面の一方の第一側面から他方の第二側面に貫通してレーザー光の光路の形成を可能にする開口部を設け、前記第一側面の前記ベース基板に近い近接側面部に第一支持ワイヤ中継固着部を有する第一中継基板を設け、前記第二側面の前記ベース基板から遠い遠方側面部に第二支持ワイヤ中継固着部を有する第二中継基板を設け、前記ベース基板に設ける第一支持ワイヤベース固着部と前記第一支持ワイヤ中継固着部を介して第一支持ワイヤを取付け、前記ベース基板に設ける第二支持ワイヤベース固着部と前記第二支持ワイヤ中継固着部を介して第二支持ワイヤを取付けると共に、前記第一支持ワイヤ中継固着部と前記対物レンズを保持した前記レンズホルダの重心とを結ぶ対角線上に前記第二支持ワイヤ中継固着部を配置したことを特徴としている。
【００２５】
この構成によると、レンズホルダの一方の側部に設ける開口部からレーザー光を照射可能となって、レーザー光を照射する光学系を、このレンズホルダと同じ水平高さ領域に構成可能となり、従来はベースの下方領域に光学系を配設して厚みがあった光ディスク装置の薄型化を図ることができる。また、両側面の支持ワイヤの固着部同士を結ぶ線上に可動部の重心位置が位置しているので、駆動中心と可動部重心が合致する構成となり、可動部をバランスよく支持可能となる。
【００２６】
また本発明は、上記構成の光ピックアップにおいて、前記レンズホルダとほぼ平行に前記ベース基板を設け、前記第一側面側に設ける第一支持ワイヤの線径と前記第二側面側に設ける第二支持ワイヤの線径とを異ならせて、それぞれのワイヤのばね定数が略等しくなるようにしたことを特徴としている。この構成によると、ベース基板から近接側面部に掛け渡される第一支持ワイヤと、ベース基板から遠方側面部に掛け渡される第二支持ワイヤとで、その長さが異なっていても、それぞれの線径を異ならせて、それぞれのワイヤのばね定数を揃えることができて、可動部をバランスよく支持可能となる。
【００２７】
また本発明は、上記構成の光ピックアップにおいて、前記ベース基板を前記レンズホルダに対して斜めに配設して、前記第一側面側に設ける第一支持ワイヤの長さと前記第二側面側に設ける第二支持ワイヤの長さと太さを略同じにして、それぞれのワイヤのばね定数が略等しくなるようにしたことを特徴としている。この構成によると、可動部をバランスよく支持可能になると共に、同じ長さで同じ線径のワイヤを用いることができるので、同一種類で同一サイズのワイヤ部材を準備すればよく、部品調達コストの上で有効となる。
【００２８】
また本発明は、上記構成の光ピックアップにおいて、前記ベース基板を前記第一支持ワイヤベース固着部を備える第一ベース基板と前記第二支持ワイヤベース固着部を備える第二ベース基板とに分割し、それぞれのベース基板を前記レンズホルダに対して互い違いに平行に配設して、前記第一側面側に設ける第一支持ワイヤの長さと前記第二側面側に設ける第二支持ワイヤの長さと太さを略同じにして、それぞれのワイヤのばね定数が略等しくなるようにしたことを特徴としている。この構成によると、可動部をバランスよく支持可能になると共に、同じ長さで同じ線径のワイヤを用いることができるので、同一種類で同一サイズのワイヤ部材を準備すればよく、部品調達コストの上で有効となる。
【発明の効果】
【００２９】
本発明によれば、光ディスクにレーザー光を照射してデータの記録又は再生を行う光ディスク装置の光ピックアップにおいて、光ディスク装置の薄型化を可能にすると共に、可動部をバランスよく支持可能な支持ワイヤを備える光ピックアップを得ることができる。
【図面の簡単な説明】
【００３０】
【図１】本発明に係る光ピックアップの要部構成を示す概略斜視図である。
【図２】本発明に係る光ピックアップの第一実施形態例の概略平面図である。
【図３】本発明に係る光ピックアップの概略平面図を示し、（ａ）は第二実施形態例であり、（ｂ）は第三実施形態例である。
【図４】本発明に係る光ピックアップを備える光ディスク装置の構成の一例を示す概略説明図である。
【図５】従来の光ピックアップの一例の全体構成を示し、（ａ）は全体構成の概略斜視図であり、（ｂ）は分解斜視図である。
【発明を実施するための形態】
【００３１】
以下に本発明の実施形態を図面を参照して説明する。また、同一構成部材については同一の符号を用い、詳細な説明は適宜省略する。
【００３２】
まず、図４を用いて本実施形態の光ピックアップＰを備える光ディスク装置３０の概要について説明する。光ディスク装置３０は、光ディスク５０にレーザー光を照射してデータの記録又は再生を行う装置であって、光源となるレーザーダイオード３１と、偏光ビームスプリッタ３２と、コリメートレンズ３３と、立ち上げミラー３６と、１／４波長板３７と、対物レンズ４と、シリンドリカルレンズ３８と、光検出器３９とを備えていて、対物レンズ４を用いてレーザー光を光ディスク５０の記録面５０ａに集光させている。
【００３３】
レーザーダイオード３１は、所定波長のレーザー光を出射する半導体レーザーであって、光ディスク５０に対応して選択される。また、一種類の光ディスク５０に対応した一つのレーザーダイオード３１を備えた光ディスク装置３０として図示しているが、複数種類の光ディスク５０に対応した複数のレーザーダイオード３１を備えた光ディスク装置であってもよい。
【００３４】
偏光ビームスプリッタ３２は、偏光方向が互いに直交する二つの直線偏光の一方を透過させ、他方の直線偏光を反射させる機能を有し、レーザーダイオード３１が出射するレーザー光を透過し、光ディスク５０が反射したレーザー光を光検出器３９に向けて反射する。光検出器３９は、受光したレーザー光が有する光情報を電気信号に変換する。
【００３５】
コリメートレンズ３３は、入射するレーザー光を平行光に変換する機能を有する。また、このコリメートレンズ３３をコリメートレンズ駆動ユニット３４に組み込んで光軸方向に移動可能として、コリメートレンズ３３を通過するレーザー光の収束発散状態を調整可能とする球面収差補正機構３５を構成している。
【００３６】
立ち上げミラー３６は、コリメートレンズ３３から送られるレーザー光を光ディスク５０に向けて反射する。また、１／４波長板３７は、直線偏光を円偏光に変換し、円偏光を直線偏光に変換する機能を有し、立ち上げミラー３６が反射した直線偏光のレーザー光を円偏光に変換して対物レンズ４に入射し、光ディスク５０から反射される円偏光のレーザー光を直線偏光に変換して、立ち上げミラー３６からコリメートレンズ３３に入射させる。
【００３７】
対物レンズ４は、レーザー光を集光して光ディスク５０の記録面５０ａに照射し、記録面５０ａから反射されたレーザー光を受光して１／４波長板３７に入射させる。
【００３８】
この対物レンズ４は、レーザー光を光ディスク５０の記録面５０ａにスポットとして集光させる機能を有するが、ガラスレンズと比較して軽量であり、また大量生産が可能でコストが安いプラスチックレンズを使用することが好ましい。
【００３９】
また、例えば、対物レンズ４と１／４波長板３７とを共に光ピックアップＰに搭載して、フォーカス方向とトラッキング方向に移動可能としている。
【００４０】
シリンドリカルレンズ３８は、光ディスク５０の記録面５０ａから反射されたレーザー光に非点収差を与える機能を有し、この非点収差をフォーカスエラー検出に用いることができる。
【００４１】
光検出器３９から出力される電気信号は、信号処理部４０に送られる。信号処理部４０は、光検出器３９から受け取った電気信号を処理して、ＲＦ信号、フォーカスエラー信号（ＦＥ信号）、トラッキングエラー信号（ＴＥ信号）等を生成する。なお、ＲＦ信号によって情報の読み出しが行われ、ＦＥ信号、ＴＥ信号に基づいてフォーカシング制御やトラッキング制御が行われる。
【００４２】
制御部４１は、光ディスク装置５０の動作全体を制御する機能を有する。例えば、レーザーダイオード駆動回路４２の制御や、球面収差補正機構３５の制御や、前述した光ピックアップＰの制御などを行う。
【００４３】
また、レーザーダイオード駆動回路４２を備えた基板上にサーミスタ４３を配設して、このサーミスタ４３からの温度情報からレーザーダイオード２１の光出力を制御する。さらに、サーミスタ４３の温度情報から対物レンズ４の温度を認識して、得られた温度に応じて対物レンズ４の温度特性を補正する制御を行う。
【００４４】
対物レンズ４の温度特性を補正する制御の一つである球面収差補正機構３５の制御は、制御部４１が信号処理部４０から情報を受け取って行うことも可能であるが、上記したように、サーミスタ４３の温度情報から対物レンズ４の温度を認識して、認識された温度に応じて行うことができる。また、これらを組み合わせることも可能であって、サーミスタ４３の温度情報から所定の補正制御を行い、その後で、信号処理部４０からの信号を用いて微調整することもできる。
【００４５】
光ディスク５０に記録されている信号の読み出し動作や信号の記録動作を行うためには、レーザー光の照射によって生成されるスポットの形状を良好な状態にする必要がある。そのために、対物レンズ４を所定の位置に正確に移動させることが好ましい。
【００４６】
図１に示す本実施形態の光ピックアップＰは、光ディスク装置の薄型化を目指してレーザー光をレンズホルダ２の一方の側部から照射可能とすると共に、レンズホルダ２の一方の側部からレーザー光を照射する構成であっても、両方の側部に装着するワイヤのばね定数が均等となるようにしたこと以外は、図５に示した従来の光ピックアップＰ１と同様でよい。そのために、同様の構成部品については同一の符号を付して説明する。図示するように光ピックアップＰは、強磁性を有する金属からなるベース１と、該ベース１に対して変位自在に支持され非磁性体からなるレンズホルダ２と、該レンズホルダ２に装着される対物レンズ４（例えば、ＤＶＤ用の対物レンズ４ＡとＣＤ用の対物レンズ４Ｂ）とを備えている。
【００４７】
また、可動部となるレンズホルダ２を複数の導電性の支持ワイヤ９Ａ（例えば９Ａａ〜９Ａｃ）、９Ｂ（例えば、９Ｂａ〜９Ｂｃ：図２参照）を介して揺動自在に支持している。また、可動部となるレンズホルダ２側に、フォーカスコイル５Ａ、５Ｂとトラッキングコイル６Ａ〜６Ｄを有するコイル部を設け、該コイル部に磁界を印加する磁界発生部３（３Ａ、３Ｂ）を固定部となるベース１側に設けている。そのために、所定電圧の電力をコイル部に印加することで、このコイル部と磁界発生部３（３Ａ、３Ｂ）との電磁力作用によって対物レンズ４をフォーカシング方向とトラッキング方向にそれぞれ所定量変位させることができる。
【００４８】
フォーカスコイル５Ａ、５Ｂとトラッキングコイル６Ａ〜６Ｄは、それぞれ略矩形状に巻回され、磁界発生部３（３Ａ、３Ｂ）に対向する二箇所のレンズホルダ２の側壁のそれぞれにレンズホルダ２を挟んで対向する位置に配置され、接着剤等で固着されている。また、このフォーカスコイル５Ａ、５Ｂとトラッキングコイル６Ａ〜６Ｄには、ベース基板８から中継基板を介して電流が供給される。
【００４９】
ここで、本実施形態においては、光ディスク装置の薄型化を目指して光ピックアップＰのレンズホルダ２の側部に光の通過を許可する逆Ｕ字状の開口部２０を設けて、一方の側部２１から図中の矢印Ｈ１に示す光路を形成可能な構成としている。この構成であれば、前述したレーザーダイオード３１と、偏光ビームスプリッタ３２と、コリメートレンズ３３などの光学系を光ピックアップＰと同じ水平高さ領域に構成可能であり、従来はベース１の下方領域に光学系を配設して厚みがあった光ディスク装置の薄型化を図ることができる。
【００５０】
また、図２に示すように、レンズホルダ２の前述した磁界発生部に対向していない側面である第一側面２１と第二側面２２にそれぞれ第一支持ワイヤ９Ａ（９Ａａ、９Ａｂ、９Ａｃ）を取り付ける第一中継基板１１Ａと第二支持ワイヤ９Ｂ（９Ｂａ、９Ｂｂ、９Ｂｃ）を取り付ける第二中継基板１１Ｂを設け、ベース基板８に第一支持ワイヤ９Ａを固着する第一支持ワイヤベース固着部１２Ａと第二支持ワイヤ９Ｂを固着する第二支持ワイヤベース固着部１２Ｂを設けている。ここで、第一側面２１のベース基板８に近い近接側面部２１Ａに第一支持ワイヤ９Ａを固着する第一支持ワイヤ中継固着部１３Ａを有する前記第一中継基板１１Ａを設け、第二側面２２の前記第一支持ワイヤ中継固着部１３Ａと対物レンズ４を保持するレンズホルダ２の重心ＷＣとを結ぶ対角線上の遠方側面部２２Ａに第二支持ワイヤ９Ｂを固着する第二支持ワイヤ中継固着部１３Ｂを有する第二中継基板１１Ｂを設けた構成としている。
【００５１】
上記の構成であれば、近接側面部２１Ａが位置する第一側面２１側の開口部２０に第一支持ワイヤ９Ａが無い露出空間を形成して、この第一側面２１側に光路Ｈ１を形成可能となる。また、レンズホルダ２の重心ＷＣと結ぶ対角線上に第一支持ワイヤ中継固着部１３Ａと第二支持ワイヤ中継固着部１３Ｂを設ける構成であっても、一方の側面の第一支持ワイヤ９Ａ（９Ａａ、９Ａｂ、９Ａｃ）と他方の側面の第二支持ワイヤ９Ｂ（９Ｂａ、９Ｂｂ、９Ｂｃ）のバネ定数を揃えることで、これらのワイヤを介して移動操作する際の駆動力をレンズホルダ２の重心ＷＣに沿って付加可能となり、駆動中心と可動部重心が合致する構成となって、周波数特性やＤＣチルト性能などのアクチュエータ性能を安定させることができる。
【００５２】
次に、レンズホルダ２の重心ＷＣと結ぶ対角線上に第一支持ワイヤ中継固着部１３Ａと第二支持ワイヤ中継固着部１３Ｂを設ける構成において、第一支持ワイヤ９Ａと第二支持ワイヤ９Ｂとのバネ定数を揃えるための実施形態について説明する。
【００５３】
第一の実施形態：レンズホルダ２とほぼ平行にベース基板８を設ける場合は、第一支持ワイヤ９Ａと第二支持ワイヤ９Ｂとの長さは同等となるので、第一側面２１側に設ける第一支持ワイヤ９Ａ（９Ａａ、９Ａｂ、９Ａｃ）の線径と第二側面２２側に設ける第二支持ワイヤ９Ｂ（９Ｂａ、９Ｂｂ、９Ｂｃ）の線径とを異ならせることで、それぞれのワイヤのばね定数が略等しくなるようにすることができる。
【００５４】
上記の構成であれば、レンズホルダ２のほぼ平行に設置されるベース基板８から近接側面部２１Ａに掛け渡される第一支持ワイヤ９Ａと、ベース基板８から遠方側面部２２Ａに掛け渡される第二支持ワイヤ９Ｂとで、その長さが異なっていても、それぞれの線径を異ならせて、それぞれのワイヤのばね定数を揃えることができる。
【００５５】
例えば、同じ荷重が付加された際に、それぞれのワイヤの変形を等しくするように、長いワイヤの線径を短い線径のワイヤよりも少し太くするようにして、それぞれのワイヤのばね定数を揃えることができる。
【００５６】
第二の実施形態：図３（ａ）に示すように、ベース基板８Ａをレンズホルダ２に対して斜めに配設して、第一側面２１側に設ける第一支持ワイヤ９Ａの長さと第二側面２２側に設ける第二支持ワイヤ９Ｂの長さと太さが略同じになるようにして、それぞれのワイヤのばね定数が略等しくなるようにすることができる。
【００５７】
上記の構成であれば、同じ長さで同じ線径のワイヤを用いることができるので、同一種類で同一サイズのワイヤ部材を準備すればよく、部品調達コストの上で有効である。また、この構成の場合には、図中の想像線に示すようにレンズホルダ２に対して斜めに配設されるゲルボックス７Ａを用いるとよい。
【００５８】
第三の実施形態：図３（ｂ）に示すように、ベース基板を第一支持ワイヤベース固着部１２Ａを備える第一ベース基板８Ｂと第二支持ワイヤベース固着部１２Ｂを備える第二ベース基板８Ｃとに分割し、それぞれのベース基板をレンズホルダ２に対して互い違いに段差を設けて平行に配設して、第一側面２１側に設ける第一支持ワイヤ９Ａの長さと第二側面２２側に設ける第二支持ワイヤ９Ｂの長さと太さが略同じになるようにして、それぞれのワイヤのばね定数が略等しくなるようにすることができる。
【００５９】
上記の構成の場合でも、同じ長さで同じ線径のワイヤを用いることができるので、同一種類で同一サイズのワイヤ部材を準備すればよく、部品調達コストの上で有効である。また、この構成の場合には、図中の想像線に示すようにレンズホルダ２に対して段ちに配設されるゲルボックス７Ｂを用いるとよい。
【００６０】
第一、第二、第三の実施形態のレンズホルダ２は、光の通過を許可する逆Ｕ字状の開口部２０を備えて、第一側面２１のベース基板に近い近接側面２１Ａ部に第一支持ワイヤ９Ａを固着する第一支持ワイヤ中継固着部１３Ａを有する第一中継基板１１Ａを設けているので、開口部２０が開放された状態となって、この第一側面部に光路Ｈ１を形成することが可能となる。
【００６１】
そのために、レーザー光をレンズホルダ２の一方の側部から照射可能となり、レーザー光を照射する光学系をレンズホルダの下方ではなくレンズホルダ２の側方に設置可能となるので、光ディスク装置の薄型化を図ることができる。また、レンズホルダ２の重心ＷＣと結ぶ対角線上に第一支持ワイヤ中継固着部１３Ａと第二支持ワイヤ中継固着部１３Ｂを設ける構成であっても、一方の側面の第一支持ワイヤ９Ａ（９Ａａ、９Ａｂ、９Ａｃ）と他方の側面の第二支持ワイヤ９Ｂ（９Ｂａ、９Ｂｂ、９Ｂｃ）のバネ定数を揃える構成としたので、可動部の重心と駆動中心とがずれることで生じるピッチングやヨーイングなどの発生を抑制し、ＤＣチルト性能を安定させることができる。
【００６２】
上記したように、本発明に係る光ピックアップによれば、レンズホルダの一方の側部に設ける開口部からレーザー光を照射可能となって、レーザー光を照射する光学系を、このレンズホルダと同じ水平高さ領域に構成可能となり、従来はベースの下方領域に光学系を配設して厚みがあった光ディスク装置の薄型化を図ることができる。また、支持ワイヤの固着部を結ぶ線上に可動部の重心位置が位置しているので、可動部をバランスよく支持可能となる光ピックアップを得ることができる。
【００６３】
さらに、レンズホルダのベース基板に近い近接側面部に掛け渡す第一支持ワイヤと、ベース基板から遠い遠方側面部に掛け渡す第二支持ワイヤとで、それぞれのワイヤのばね定数を揃える構成としたので、これらのワイヤを介して移動操作する際の駆動力をレンズホルダの重心に沿って付加可能となり、駆動中心を可動部重心位置に合致させて、周波数特性やＤＣチルト性能などのアクチュエータ性能を安定させることができる。
【産業上の利用可能性】
【００６４】
そのために、本発明に係る光ピックアップは、装置全体の薄型化を目指す光ディスク装置に用いる光ピックアップに好適に適用することができる。
【符号の説明】
【００６５】
１    ベース
２    レンズホルダ
３    磁界発生部
４    対物レンズ
５    フォーカスコイル
６    トラッキングコイル
８、８Ａ    ベース基板
８Ｂ  第一ベース基板
８Ｃ  第二ベース基板
９Ａ  第一支持ワイヤ
９Ｂ  第二支持ワイヤ
１１Ａ  第一中継基板
１１Ｂ  第二中継基板
１２Ａ  第一支持ワイヤベース固着部
１２Ｂ  第二支持ワイヤベース固着部
１３Ａ  第一支持ワイヤ中継固着部
１３Ｂ  第二支持ワイヤ中継固着部
２０    開口部
２１    第一側面
２２    第二側面
Ｐ      光ピックアップ（本発明）
Ｐ１    光ピックアップ（従来の）
【図１】
2011123932.tif 000003
【図２】
2011123932.tif 000004
【図３】
2011123932.tif 000005
【図４】
2011123932.tif 000006
【図５】
2011123932.tif 000007